(57)【要約】      （修正有）【課題】使用者が安心して多様なトレーニングを行える、省スペース化された身体鍛錬器具を提供する。【解決手段】平行に並ぶ一対の足部１と、それぞれの足部から垂直に伸びる２本の柱部２と、２本の柱部に水平に架けられた懸垂棒４と、折り曲げ加工されて柱部と足部に取り付けられた一対のアーム部３と、を備え、柱部は、柱下部２２と柱主部２１とで構成されている。【選択図】図２
0003217222.tif 000002
【実用新案登録請求の範囲】
【請求項１】
平行に並ぶ一対の足部と、それぞれの足部から垂直に伸びる２本の柱部と、２本の柱部に水平に架けられた懸垂棒と、折り曲げ加工され柱部と足部に取り付けられた一対のアーム部と、を備えており、
前記柱部は、柱下部と柱主部とで構成されていることを特徴とする身体鍛錬器。
【請求項２】
前記柱下部の高さは、前記柱部の全高のおよそ７分の１であることを特徴とする、請求項１に記載の身体鍛錬器具。
【請求項３】
前記アーム部は、アーム下部とアーム主部とで構成されていることを特徴とする、請求項１または２に記載の身体鍛錬器具。
【請求項４】
前記アーム下部の高さは、前記柱下部の高さと同じであることを特徴とする、請求項３に記載の身体鍛錬器具。
【考案の詳細な説明】
【技術分野】
【０００１】
本考案は、懸垂運動などの身体の鍛錬に用いる身体鍛錬器具に関する。
【背景技術】
【０００２】
身体鍛錬器具には、安定性と多機能性が求められている。
身体鍛錬器具の安定性は、器具が転倒しないことだけではなく、トレーニング中に器具全体が揺れないこと、という条件をも満たす水準が求められる。身体鍛錬器具が転倒しないことは、使用者が怪我をしたり、物が壊れたりすることを防ぐための当然求められる基準である。しかし、それだけでは不十分で、例え転倒しないとしても、トレーニング中に器具が揺れてしまうと、使用者は転倒の恐れや不安を感じてしまう。その恐れや不安によって、トレーニングに集中できなくなってしまう。使用者がトレーニングに集中できるように、使用中に揺れない程度の安定性が、身体鍛錬器具には必要である。
【０００３】
さらに、懸垂器具などの大型の身体鍛錬器具は、多機能であることも、使用者が重視する点である。特に、個人の家では、トレーニング機材を設置できるスペースが限られている。対して、大型の身体鍛錬器は、設置するにはかなり広いスペースが必要となる。そのため、使用者は、トレーニング機材が、家の中の限られたスペースの中を大きく占領するのであれば、その一つの機材で様々なトレーニングができる方が好ましいと当然考える。そのような需要に応えて、メインのトレーニング以外のトレーニングもできる部品を取り付けた多機能な身体鍛錬器具が、多く製造されている。
【０００４】
特許文献１、２には、身体鍛錬器具の揺れを防ぐために、身体鍛錬器具の柱部と足部とを繋ぐ斜めの支柱が取り付けられた身体鍛錬器具が示されている。
【０００５】
特許文献３には、逆L字型のアーム部が取り付けられた身体鍛錬器具が示されている。このアーム部によって、使用者は、例えば腕で体重を支えながら、肘の曲げ伸ばしを行うディップスや、腕で体重を支え、地面に平行となるように足を前方に伸ばし、その姿勢を保持するニーレイズ、といった懸垂以外のトレーニングが可能となる。
【先行技術文献】
【特許文献】
【０００６】
【特許文献１】意匠登録第５６４８４６号公報
【特許文献２】意匠登録第５５２０２３号公報
【特許文献３】意匠登録第４９７１３７号公報
【考案の概要】
【考案が解決しようとする課題】
【０００７】
特許文献１，２のように、柱部と足部とを繋ぐ支柱が斜めであると、身体鍛錬器具が必要とする床面積は大きくなる。さらに、支柱は斜めに設けられているため、支柱の部分には、トレーニング用の部品を取り付けることもできず、有効に活用できない空間、所謂デッドスペースとなってしまっていた。
かといって、特許文献３のように、懸垂以外の筋力トレーニングを行うための逆L字型のアーム部を取り付けるだけでは、十分に揺れを防ぐことはできなかった。
【０００８】
本考案はそのような課題に鑑みて考案されたものであり、使用者が安心して多様なトレーニングを行える、省スペース化された身体鍛錬器具を提供することを課題とする。
【課題を解決するための手段】
【０００９】
上記課題を解決するために、本考案は、
平行に並ぶ一対の足部と、それぞれの足部から垂直に伸びる２本の柱部と、２本の柱部に水平に架けられた懸垂棒と、折り曲げ加工され柱部と足部に取り付けられた一対のアーム部と、を備えており、
前記柱部は、柱下部と柱主部とで構成されていることを特徴とする。
【００１０】
このような構成とすることで、使用者の体重と身体鍛錬器具本体との荷重を支える足部及び足部と柱部との接続部分が、頑丈となる。このため、使用者がトレーニング中であっても、揺れない安定した身体鍛錬器具となる。使用者は安心して多様なトレーニングを行うことができる。
【００１１】
本考案の好ましい形態では、前記柱下部の高さは、前記柱部の全高のおよそ７分の１であることを特徴とする。
このような構成とすることで、安定性を保ちつつ、必要な素材を可能な限り少なくでき、コストを抑えられる。
【００１２】
本考案の好ましい形態では、前記アーム部は、アーム下部とアーム主部とで構成されていることを特徴とする。
このような構成とすることで、使用者の体重と身体鍛錬器具本体の荷重とを支える部分の一つであるアーム部及びアーム部と足部との接続部分が、頑丈となる。このため、身体鍛錬器具がより安定し、使用者は安心してトレーニングを行うことができる。
【００１３】
前記アーム下部の高さは、前記柱下部の高さと同じであることを特徴とする。
このような構成とすることで、身体鍛錬器具の見栄えも良くすることができる。
【考案の効果】
【００１４】
本考案によって、使用者が安心して多様なトレーニングを行える身体鍛錬器具を提供することができる。
【図面の簡単な説明】
【００１５】
【図１】本実施形態の身体鍛錬器具の正面図
【図２】本実施形態の身体鍛錬器具の右側面図
【図３】本実施形態の身体鍛錬器具の背面図
【図４】本実施形態の身体鍛錬器具の（ア）平面図及び（イ）底面図
【図５】本実施形態の身体鍛錬器具の左側面図
【図６】本実施形態の身体鍛錬器具の斜視図
【図７】本実施形態の身体鍛錬器具の、柱部の長さを変えた状態を示す斜視図
【考案を実施するための形態】
【００１６】
以下、図面を用いて、本考案の実施形態の一つを説明する。ただし、実施形態はこれに限るものではない。
【００１７】
本実施形態の身体鍛錬器具は、平行に並ぶ一対の足部１と、それぞれの足部１から垂直に伸びる２本の柱部２と、２本の柱部２に水平に架けられた懸垂棒４と、折り曲げ加工され柱部２と足部１に取り付けられた一対のアーム部３と、足部１に取り付けられたハンドル部５と、を備えている。
【００１８】
本実施形態の身体鍛錬器具は、全体がパイプを折り曲げ加工して作られたものである。
【００１９】
アーム部３は全体がL字形状に加工されて、一端は柱部２、もう一端は足部１、にそれぞれ固定されている。こうすることで、柱部２にかかる使用者の体重による荷重を、アーム部３に分散することができる。さらに、使用者はこのアーム部３を使って、ニーレイズなどのトレーニングを行うこともできる。このように、アーム部３が１つの部品で２つの役割を持つことで、省スペースな身体鍛錬器具となる。
【００２０】
アーム部３には、アーム横桟３３が設けられている。柱部２と、足部１との２点でのみアーム部３を固定している場合、まだ使用者の安心感が満たされるような安定性ではないためである。アーム部３がより頑丈に身体鍛錬器具に固定されるように、アーム横桟３３は一端が柱部２、もう一端がアーム部３、に固定されている。
【００２１】
さらに、より一層の安定感を増すために、本実施形態の身体鍛錬器具は次のような構成となっている。
【００２２】
柱部２は、柱主部２１と柱下部２２とで構成されている。足部１と、足部１に接する柱下部２２の一端と、は溶接で固定されている。柱主部２１の地面側の一端からは、柱下部２２の内径よりわずかに小さい外形のパイプが伸びている。柱主部２１から伸びたパイプは、柱下部２２の他端に設けられた開口部から、柱下部２２内に挿入される。そして、重なった柱下部２２と柱主部２１から伸びるパイプとを、外側からネジで固定する。
【００２３】
このように固定することで、柱下部２２は、パイプが２本重なった状態となる。つまり身体鍛錬器具それ自体の重さと、使用者の体重との、両方を支える部分が頑丈となる。これにより、本実施形態の身体鍛錬器具は、省スペースでありながら高い安定性を備えることができる。
【００２４】
アーム部３は、アーム主部３１とアーム下部３２とで構成されている。足部１と、足部１に接するアーム下部３２の一端と、は溶接で固定されている。アーム主部３１の地面側の一端からは、アーム下部３２の内径よりわずかに小さい外形のパイプが伸びている。アーム主部３１から伸びたパイプは、アーム下部３２の他端に設けられた開口部から、アーム下部３２内に挿入される。そして、重なったアーム下部３２とアーム主部３１から伸びるパイプとを、外側からネジで固定する。
【００２５】
このように固定することで、アーム下部３２は、パイプが２本重なった状態となる。つまり身体鍛錬器具それ自体の重さと、使用者の体重と、両方を支える部分が頑丈となる。これにより、本実施形態の身体鍛錬器具は、省スペースでありながら高い安定性を備えることができる。
【００２６】
さらに、柱部とアーム部の両方を上記のように、主部と下部に分け、両方の下部のパイプを二重にすることで、本実施形態の身体鍛錬器具は、より一層安定性を増すことができる。
【００２７】
本実施形態の身体鍛錬器具では、使用者は懸垂棒４と、アーム部３と、ハンドル部５と、を用いてそれぞれ異なるトレーニングをすることができる。例えば、懸垂棒４で懸垂やぶら下がり、アーム部３でディップスやニーレイズ、ハンドル部５で腕立て伏せ、等を行える。
【符号の説明】
【００２８】
１    足部
２    柱部
２１  柱主部
２２  柱下部
３    アーム部
３１  アーム主部
３２  アーム下部
４    懸垂棒
５    ハンドル
【図１】
0003217222.tif 000003
【図２】
0003217222.tif 000004
【図３】
0003217222.tif 000005
【図４】
0003217222.tif 000006
【図５】
0003217222.tif 000007
【図６】
0003217222.tif 000008
【図７】
0003217222.tif 000009